(57)【特許請求の範囲】
【請求項１】
食器等の被洗浄物を収納する洗浄槽を有する本体と、前記本体の前面開口部を開閉するドアと、前記ドアの開閉を検出するドアスイッチと、前記ドアにそれぞれ設けられた、運転を操作するタッチパネルスイッチで構成された操作部と運転状態を表示する表示部と、前記ドアスイッチおよび前記操作部からの入力情報と搭載した運転ソフトウェアとによって運転動作を制御するマイコンとを備え、前記マイコンは、前記ドアスイッチからの前記ドアの開閉を検出するドアスイッチ情報と前記操作部からのタッチパネルスイッチ情報の組合せにより、操作、動作及び表示を行うように構成されるとともに、食器洗い機の運転が停止状態の場合、前記ドアスイッチ情報が閉であれば前記タッチパネルスイッチ情報を受け付けず、前記ドアスイッチ情報が開となることによって前記タッチパネルスイッチ情報を受け付け、その後、前記ドアスイッチ情報が閉となることによって運転を開始するように構成された食器洗い機。
【請求項２】
前記マイコンは、食器洗い機が運転中の場合、前記タッチパネルスイッチ情報を受け付けず、前記ドアスイッチ情報が開となることによって運転を一時停止するとともに、前記タッチパネルスイッチ情報を受け付け、その後、前記ドアスイッチ情報が閉となることによって運転を再開するように構成された請求項１記載の食器洗い機。
【請求項３】
食器等の被洗浄物を収納する洗浄槽を有する本体と、前記本体の前面開口部を開閉するドアと、前記ドアの開閉を検出するドアスイッチと、前記ドアにそれぞれ設けられた、運転を操作するタッチパネルスイッチで構成された操作部と運転状態を表示する表示部と、前記ドアスイッチおよび前記操作部からの入力情報と搭載した運転ソフトウェアとによって運転動作を制御するマイコンとを備え、前記マイコンは、前記ドアスイッチからの前記ドアの開閉を検出するドアスイッチ情報と前記操作部からのタッチパネルスイッチ情報の組合せにより、操作、動作及び表示を行うように構成されるとともに、食器洗い機が運転中の場合、前記タッチパネルスイッチ情報を受け付けず、前記ドアスイッチ情報が開となることによって運転を一時停止するとともに、前記タッチパネルスイッチ情報を受け付け、その後、前記ドアスイッチ情報が閉となることによって運転を再開するように構成された食器洗い機。
【請求項４】
前記操作部は前記ドアの上面部に配設した請求項１〜３のいずれか１項記載の食器洗い機。
【発明の詳細な説明】
【技術分野】
【０００１】
本発明は操作部に静電容量方式のタッチパネルスイッチを搭載した食器洗い機に関するものである。
【背景技術】
【０００２】
従来、操作・表示面の大きい比較的大型の食器洗い機などにおいて、デザイン性から操作部にタッチパネルスイッチを搭載した食器洗い機が市場に提供されてきた（例えば、特許文献１参照）。
【０００３】
図７は、従来のプルオープンタイプの食器洗い機の正面部を示したもので、ドア１の前面上部には、引出し取手部２、排気口３、操作・表示部４を備えている。また、ドア１の開け閉めを検出するドアスイッチ５が内部に構成されている。図８は、操作・表示部４だけを示しており、操作部は静電容量方式のタッチパネルスイッチのコーススイッチ６、一時停止／スタートスイッチ７および電源スイッチ８で構成されており、ＬＳＩにより人の指先が触れたりしたことを検出して、食器洗い機の動作を制御するマイコンに検出したことを入力させるように構成されている。コース表示部９はＬＥＤの発光によりコースを表示するように構成されている。
【０００４】
図９は操作並びに動作の一例を示すフローチャートである。図９にて、スイッチ入力からひとつの動作を開始するマイコンのフローを表し、運転中でなければ各操作スイッチ入力の有無によりＳＴＥＰ１０５にて動作スタートする状態が決定される。一時停止／スタートスイッチ７が入力されるとＳＴＥＰ１０６にて検出し、ＳＴＥＰ１０７にてドアスイッチ５が閉の場合のみ運転が開始する。
【先行技術文献】
【特許文献】
【０００５】
【特許文献１】特開２０１２−２９７４７号公報
【発明の概要】
【発明が解決しようとする課題】
【０００６】
しかしながら、前記従来の構成では、ドアスイッチ５が閉の状態であれば、動作中であっても、電源スイッチ８や一時停止／スタートスイッチ７によるスイッチ入力が有効になることから、スイッチ入力があれば電源オフや一時停止などが発生してしまう。通常、静電容量方式のタッチパネルスイッチを採用した場合、操作性の良さからＬＳＩで検出する感度を上げて設定するが、この場合、スイッチ部に少し触れるだけで検出をしてしまう。指先で意識して触れるのではなく、仮に肌の一部が触れた場合にも誤動作してしまうし、子供などがちょっと触れただけでも誤動作してしまうという課題を有していた。また、個々のスイッチ感度が高いために、タッチパネルスイッチの部分の面積を大きくしたり、隣接するタッチパネルスイッチとの距離を大きくとらねばならなく、トータルとしてタッチパネルスイッチ部分の面積が大きくなるという課題を有していた。
【０００７】
一方、静電容量方式のスイッチ部の検出に際し、ＬＳＩでの検出する感度を下げて設定したり、検出時間を長くして触れている時間を長く設定したりすることも誤動作防止に有効な手段である。しかしながら、この場合、感度が低く設定されているため、指先の大きさや状態により、操作性のバラツキが大きくなったり、検出時間が長い為に操作性を大きく悪化させてしまうという課題を有していた。
【０００８】
本発明は、前記従来の課題を解決するもので、操作部に静電容量方式のタッチパネルスイッチを搭載した食器洗い機において、運転動作を制御するマイコンでのスイッチ入力受け付け可否をドアスイッチの開閉状態で判定することにより、静電容量方式のタッチパネルスイッチの感度を下げることなく、操作性の良いスイッチシステムを提供し、また、感度を高く設定できることにより、多くのスイッチ配置をよりコンパクトになさしめるものを提供し、スイッチ操作不要時にスイッチ入力が成立しない構成にすることで、肌の一部が触れた場合にも誤動作すること無く、子供などがちょっと触れても誤動作しない食器洗い機を提供することを目的とする。
【課題を解決するための手段】
【０００９】
前記従来の課題を解決するために、本発明の操作部に静電容量方式のタッチパネルスイッチを搭載した食器洗い機は、食器等の被洗浄物を収納する洗浄槽を有する本体と、前記本体の前面開口部を開閉するドアと、前記ドアの開閉を検出するドアスイッチと、前記ドアにそれぞれ設けられた、運転を操作するタッチパネルスイッチで構成された操作部と運転状態を表示する表示部と、前記ドアスイッチおよび前記操作部からの入力情報と搭載した運転ソフトウェアとによって運転動作を制御するマイコンとを備え、前記マイコンは、前記ドアスイッチからの前記ドアの開閉を検出するドアスイッチ情報と前記操作部からのタッチパネルスイッチ情報の組合せにより、操作、動作及び表示を行うように構成されるとともに、食器洗い機の運転が停止状態の場合、前記ドアスイッチ情報が閉であれば前記タッチパネルスイッチ情報を受け付けず、前記ドアスイッチ情報が開となることによって前記タッチパネルスイッチ情報を受け付け、その後、前記ドアスイッチ情報が閉となることによって運転を開始するように構成されたものである。
【００１０】
動作をさせる必要の無い場合、すなわち意識してドアを開けている状態の場合のみタッチパネルスイッチから得られるオンオフ信号を有効と判定させるようにし、ドアを閉めてドアスイッチが閉になった時に設定した動作を行うようにする。一方、ドアスイッチが閉の時は、動作は確定しているので、タッチパネルスイッチでの入力情報を無視し、タッチパネルスイッチの入力が確定しないように構成したものである。
【発明の効果】
【００１１】
本発明の操作部に静電容量方式のタッチパネルスイッチを搭載した食器洗い機は、ドアスイッチの開閉とタッチパネルスイッチからの入力受け付け可否とを組合せ、条件付けることにより、スイッチ入力操作が必要な場合は、タッチパネルスイッチの感度を高く設定できることにより操作性を良くすることができ、また高感度に出来るために、タッチパネルスイッチのサイズを小さくすることが可能になる。一方タッチパネルスイッチ入力が必要の無い場合は、そのタッチパネルスイッチ入力を無効とすることで誤動作しない食器洗い機を実現することができる。
【図面の簡単な説明】
【００１２】
【図１】本発明の実施の形態１における食器洗い機のドアの正面図
【図２】本発明の実施の形態１における食器洗い機のドアの操作・表示部の正面図
【図３】（ａ）本発明の実施の形態１における食器洗い機の停止中の操作、表示、動作の主なフローを示すフローチャート（ｂ）同食器洗い機の運転中の操作、表示、動作の主なフローを示すフローチャート
【図４】本発明の実施の形態２における食器洗い機のドアの正面図
【図５】本発明の実施の形態２における食器洗い機のドアの表示部の正面図
【図６】本発明の実施の形態２における食器洗い機のドアの操作部の正面図
【図７】従来の食器洗い機のドアの正面図
【図８】従来の食器洗い機のドアの操作・表示部の正面図
【図９】従来の食器洗い機の操作、表示、動作の主なフローを示すフローチャート
【発明を実施するための形態】
【００１３】
第１の発明は、食器等の被洗浄物を収納する洗浄槽を有する本体と、前記本体の前面開口部を開閉するドアと、前記ドアの開閉を検出するドアスイッチと、前記ドアにそれぞれ設けられた、運転を操作するタッチパネルスイッチで構成された操作部と運転状態を表示する表示部と、前記ドアスイッチおよび前記操作部からの入力情報と搭載した運転ソフトウェアとによって運転動作を制御するマイコンとを備え、前記マイコンは、前記ドアスイッチからの前記ドアの開閉を検出するドアスイッチ情報と前記操作部からのタッチパネルスイッチ情報の組合せにより、操作、動作及び表示を行うように構成されるとともに、食器洗い機の運転が停止状態の場合、前記ドアスイッチ情報が閉であれば前記タッチパネルスイッチ情報を受け付けず、前記ドアスイッチ情報が開となることによって前記タッチパネルスイッチ情報を受け付け、その後、前記ドアスイッチ情報が閉となることによって運転を開始するように構成されたものである。これにより、動作をさせる必要の無い場合、すなわち意識してドアを開けている状態の場合のみタッチパネルスイッチから得られるオン・オフ信号を有効と判定させるようにし、ドアを閉めてドアスイッチが閉になった時に設定した動作を行うようにする。一方、ドアスイッチが閉の時は、動作は確定しているので、タッチパネルスイッチでの入力情報を無視し、入力が確定しないようにさせる。
【００１４】
これによって、タッチパネルスイッチからの入力操作が必要な場合は、タッチパネルスイッチの感度を高く設定できることにより操作性を良くすることができ、またタッチパネルスイッチ入力が必要の無い場合は、そのスイッチ入力を無効とすることで誤動作しない食器洗い機を実現することができる。
【００１６】
また、前記マイコンは、食器洗い機の運転が停止状態の場合、前記ドアスイッチ情報が閉であれば前記タッチパネルスイッチ情報を受け付けず、前記ドアスイッチ情報が開となることによって前記タッチパネルスイッチ情報を受け付け、その後、前記ドアスイッチ情報が閉となることによって運転を開始するように構成したことにより、ドアスイッチ情報が閉であればタッチパネルスイッチ情報を受け付けず誤動作を防げるので、静電容量方式のタッチパネルスイッチの感度そのものを高くすることができ、かつ反応時間も短く設定できる為、使い勝手の良いタッチパネルスイッチの操作性が得られるものである。また、操作性が良いため、構成しているタッチパネルスイッチ自体も従来に比較してコンパクトに設計できるようになる。
【００１７】
第２および第３の発明は、前記マイコンは、食器洗い機が運転中の場合、前記タッチパネルスイッチ情報を受け付けず、前記ドアスイッチ情報が開となることによって運転を一時停止するとともに、前記タッチパネルスイッチ情報を受け付け、その後、前記ドアスイッチ情報が閉となることによって運転を再開するように構成したことにより、運転中にタッチパネルに意識せずに体が触れた場合の誤動作を防ぐことが可能になり、同様にチャイルドロックとしての機能を果すものである。さらに、誤動作を防げることで、静電容量方式のタッチパネルスイッチの感度そのものを高くすることができ、かつ反応時間も短く設定できる為、使い勝手の良いタッチパネルスイッチの操作性が得られるものである。また、操作性が良いため、構成しているタッチパネルスイッチ自体も従来に比較してコンパクトに設計できるようになる。
【００１８】
第４の発明は、上記第１〜第３のいずれかの発明において、前記操作部は前記ドアの上面部に配設したことにより、ドアスイッチ情報が閉であればタッチパネルスイッチの入力を不可能とすることができ、より確実に誤動作を防止することができ、より操作性が良く、またドア正面のデザイン性にも優れた食器洗い機を実現することができる。
【００１９】
以下、本発明の実施の形態について、図面を参照しながら説明する。なお、本実施の形態によって本発明が限定されるものではない。
【００２０】
（実施の形態１）
本実施の形態の食器洗い機は、洗浄槽内に設けた洗浄ノズルから洗浄水を噴射して被洗浄物を洗浄するプルオープンタイプの食器洗い機である。
【００２１】
図１は本発明の実施の形態１における食器洗い機のドアの正面図、図２は本発明の実施の形態１における食器洗い機のドアの操作・表示部の正面図、図３（ａ）は本発明の実施の形態１における食器洗い機の停止中の操作、表示及び動作に対するマイコンの主な動作を示すフローチャートで、図３（ｂ）は、同じく食器洗い機の運転中の操作、表示及び動作に対するマイコンの主な動作を示すフローチャートである。
【００２２】
図１において、ドア１は、本体（図示しない）内に設けられ食器等の被洗浄物を収容する洗浄槽（図示しない）の前部に取り付けられており、引出し取手部２で前方に引き出したり後方に押し込んだりすることにより本体の前面開口部（図示しない）を開閉する。
【００２３】
ドア１の前面上部には、引出し取手部２、排気口３、操作・表示部４が設けられている。また、ドア１の開け閉めを検出するドアスイッチ５がドア１もしくは本体の内部に構成されている。図２は、操作・表示部４だけを示しており、操作部は静電容量方式のタッチパネルスイッチで構成されており、ＬＳＩにより人の指先が触れたりしたことを検出して、食器洗い機の動作を制御するマイコンに検出したことを入力させるように構成されている。この操作部のスイッチとしては、コーススイッチ６、一時停止／スタートスイッチ７及び電源スイッチ８を有している。コース表示部９や状態表示部１０はＬＥＤの発光によりコースや状態を表示するように構成されている。
【００２４】
マイコンは、ドアスイッチ５および操作部からの入力情報と、搭載した運転ソフトウェアとによって食器洗い機の運転動作を制御し、洗浄槽に収納した食器等の被洗浄物の洗浄、すすぎ及び乾燥を実行させる。
【００２５】
以上のように構成された操作部に静電容量方式のタッチパネルスイッチを搭載した食器洗い機について、以下その動作、作用について、図３の操作並びに動作の一例を示すフローチャートを用いて説明する。
【００２６】
図３（ａ）において、ドア１を閉めた状態でかつ機器が停止状態の場合は、ＳＴＥＰ１によりドアスイッチ５が閉まっていると判定し、操作部のタッチパネルスイッチの入力は受け付けず、ドアスイッチ５が開になるのを待っている。ドアスイッチ５が開になれば、ＳＴＥＰ２以降で電源スイッチ８、コーススイッチ６、一時停止／スタートスイッチ７の入力を受付け、ＳＴＥＰ７でドアスイッチ５があらためて開から閉になる、すなわちドア１を閉めることで、コース表示・状態表示が確定し、運転がスタートする。
【００２７】
一方図３（ｂ）において、運転中はＳＴＥＰ１０によりドアスイッチ５が開になるのを待っており、その間は、操作部のタッチパネルスイッチの入力は受け付けない。ドアスイッチ５が開になれば、運転を一時停止し、ＳＴＥＰ１３によりドア１が再度閉まれば再運転を開始する。一時停止中に電源スイッチ８が入力されれば運転を終了するし、コーススイッチ６が入力されればコース変更を行い、その後、一時停止／スタートスイッチ７が入力されれば、ＳＴＥＰ２１でドアスイッチ５が閉になる、すなわちドア１が閉められることにより、コース変更が行われていればコース変更された状態で運転が再スタートする。
【００２８】
以上のように、本実施の形態１においては、機器が停止中や運転中のいかなる場合においても、ドア１が開いた時のみタッチパネルスイッチの入力を受け付ける構成にすることにより、ドア１を閉めておれば、タッチパネルスイッチに意識せずに体が触れた場合の誤動作を防ぐことが可能になり、同様にチャイルドロックとしての機能を果すものである。さらに、誤動作を防げることで、静電容量方式のタッチパネルスイッチの感度そのものを高くすることができ、かつ反応時間も短く設定できるため、使い勝手の良いタッチパネルスイッチの操作性が得られるものである。また、操作性が良いため、構成しているタッチパネルスイッチ自体も従来に比較してコンパクトに設計できるようになる。
【００２９】
（実施の形態２）
図４は、本発明の実施の形態２におけるプルオープンタイプの食器洗い機のドアの正面図で、ドア１の前面上部には、引出し取手部２、排気口３、表示部１１を配し、ドア１の上面部には操作部１２が構成されており、ドア１の開け閉めを検出するドアスイッチ５がドア１もしくは本体（図示しない）の内部に構成されている。
【００３０】
図５は、表示部１１だけを示しており、コース表示部９や状態表示部１０を構成している。図６に示す操作部１２は、静電容量方式のタッチパネルスイッチで構成されており、ＬＳＩにより人の指先が触れたりしたことを検出して、食器洗い機の動作を制御するマイコンに検出したことを入力させるように構成されている。この操作部１２のスイッチとしては、コーススイッチ６、一時停止／スタートスイッチ７及び電源スイッチ８を有している。機器が停止状態での操作並びに動作、運転中の操作並びに動作は、いずれも図３に示した実施の形態１と同じである。
【００３１】
このように、操作部１２をドア１の上面部に配設し、表示部１１と操作部１２がドア１の異なる面等の互いに異なった場所に配設されている場合においても、機器が停止中や運転中の場合、ドア１が開いた時のみ操作部１２のタッチパネルスイッチの入力を受け付ける構成にすることにより、ドアを閉めておれば、タッチパネルに意識せずに体が触れた場合の誤動作を防ぐことが可能になり、同様にチャイルドロックとしての機能を果すものである。さらに、誤動作を防げることで、静電容量方式のタッチパネルスイッチの感度そのものを高くすることができ、かつ反応時間も短く設定できる為、使い勝手の良いタッチパネルスイッチの操作性が得られるものである。また、操作性が良いため、構成しているタッチパネルスイッチ自体も従来に比較してコンパクトに設計できるようになる。
【００３２】
さらに、本実施の形態においては、操作部１２をドア１の上面部に配設したことにより、ドア１が閉じられていれば操作部１２にほとんど触れることができず、タッチパネルスイッチの入力をほぼ不可能とすることができ、より確実に誤動作を防止することができ、より操作性を良くすることができる。また、操作部１２がドア１の正面にないので、ドア１正面のデザイン性にも優れた食器洗い機を実現することができる。
【００３３】
なお、上記各実施の形態はいずれもキッチンに組み込まれるプルオープンタイプの食器洗い機としたが、本発明は、キッチンに組み込まれる前開きタイプや卓上型等の他の形式の食器洗い機にも適用可能である。
【産業上の利用可能性】
【００３４】
以上のように、本発明にかかる食器洗い機は、タッチパネルスイッチの不要な誤動作を防止することが可能となるので、操作性の良い使い勝手の良い、操作部にタッチパネルスイッチを備えた食器洗い機等として有用である。
【符号の説明】
【００３５】
１  ドア
２  引出し取手部
３  排気口
４  操作・表示部
５  ドアスイッチ
６  コーススイッチ
７  一時停止／スタートスイッチ
８  電源スイッチ
９  コース表示部
１０  状態表示部
１１  表示部
１２  操作部
【図１】
0005909646.tif 000002
【図２】
0005909646.tif 000003
【図３】
0005909646.tif 000004
【図４】
0005909646.tif 000005
【図５】
0005909646.tif 000006
【図６】
0005909646.tif 000007
【図７】
0005909646.tif 000008
【図８】
0005909646.tif 000009
【図９】
0005909646.tif 000010